(57)【特許請求の範囲】
【請求項１】
掃除機本体と、前記掃除機本体に着脱自在に接続される柔軟性を有するホースと、前記ホースの先側に設けられている手元操作管に着脱自在に接続される伸縮延長管と、前記伸縮延長管の先側に着脱自在に接続される吸口を備え、前記掃除機本体の前側を上に、後側を下にして前記掃除機本体を起立させ、前記伸縮延長管が前記吸口の方を下にして掃除機本体に立て掛け収納される電気掃除機において、
前記手元操作管が外された前記伸縮延長管の上端部開口縁に係合する手元操作管用係合部を手元操作管に設け、前記手元操作管用係合部の係合により前記ホースは手元操作管の先端側を上向きにして前記伸縮延長管から吊り下がる構成となると共に、前記手元操作管用係合部は、前記手元操作管の長手方向にスライド自在に支持されているか、或いは、前記手元操作管に回動自在に支持されていることを特徴とことを特徴とする電気掃除機。
【請求項２】
請求項１に記載の電気掃除機において、
掃除機本体の底面に凹凸等で形成した係合部を設け、前記伸縮延長管に前記係合部に係合する係止部を凹凸等で形成し、電気掃除機の収納に際しては前記係合部に係止部を係合して前記伸縮延長管を前記掃除機本体に立て掛けることを特徴とする電気掃除機。
【請求項３】
請求項１に記載の電気掃除機において、
前記手元操作管用係合部は、手元操作管の先端部に位置し、掛け開口の向きが前記ホース側に向く略Ｌ字形状をしていることを特徴とする電気掃除機。
【請求項４】
請求項１乃至請求項３の何れかに記載の電気掃除機において、
前記手元操作管用係合部は、手元操作管の把手部反対側に設けたことを特徴とする電気掃除機。
【請求項５】
請求項３に記載の電気掃除機において、
前記手元操作管用係合部は、掛け開口が外側に向かって拡がる形状を有することを特徴とする電気掃除機。
【請求項６】
請求項３に記載の電気掃除機において、
前記手元操作管用係合部は、付属吸口の保持用としても使用可能であることを特徴とする電気掃除機。
【発明の詳細な説明】
【技術分野】
【０００１】
本発明は、電気掃除機をより簡単にコンパクトに収納する際に有効な電気掃除機に関する。
【背景技術】
【０００２】
従来の電気掃除機は、例えば、特許文献１（特開平８−１９１７８１号公報）、に開示されているように、伸縮延長管の側面に凹部を形成し手元操作管の側面に凸部を形成することで、収納の際には、曲がり継手を伸縮延長管から外して前記凹凸部を嵌合させ、手元操作管の開口部を下向きに収納する技術が提案されている。
【０００３】
また、特許文献２（特開２００７−２０２８３１号公報）に開示されているように、手元操作管のホース接続側に引っ掛け部を備え、手元操作管を伸縮延長管から外して、決められた嵌合部に固定する技術が提案されている。
【０００４】
【特許文献１】特開平８−１９１７８１号公報
【特許文献２】特開２００７−２０２８３１号公報
【発明の開示】
【発明が解決しようとする課題】
【０００５】
しかしながら、特許文献１では、収納の際、手元操作管の先端開口部を下向きに嵌合させるため、手元操作管、ホース内に残っている塵埃がこぼれ落ち、家屋を汚してしまう問題があった。
【０００６】
一方、特許文献２によれば、特許文献１にも言えることだが、手元操作管の引っ掛け部は、決められた嵌合部にしか固定できない構造のため、使用者はコンパクト収納をする際、嵌合させるのが煩わしく、操作性の悪いものになっていた。
【０００７】
また、決められた位置にしっかりと嵌合されるので、取り外しの際に無理な方向へ力を加えらた時や、ホースに触れてしまったときには嵌合部に力が加わり、嵌合部が破損する恐れがあった。
【０００８】
本発明は、上記の課題に対処し、塵埃のこぼれ落ちの問題を解消し、手元操作管の嵌合部が破損しにくく、簡単にコンパクト収納できる電気掃除機を提供することを目的とする。
【課題を解決するための手段】
【０００９】
上記の目的を達成するために、請求項１に関わる発明は、掃除機本体の前側を上に、後側を下にして掃除機本体を起立させ、伸縮延長管が吸口の方を下にして掃除機本体に立て掛け収納される電気掃除機において、手元操作管が外された伸縮延長管の上端開口縁に係合する手元操作管用係合部を手元操作管に設け、前記手元操作管用係合部の係合によりホースは手元操作管の先端側を上向きにして伸縮延長管から吊り下がるようしたことを特徴とする。
【００１０】
請求項２に係わる発明は、掃除機本体の底面に凹凸等で形成した係合部を設け、前記伸縮延長管に前記係合部に係合する係止部を凹凸等で形成し、電気掃除機の収納に際しては前記係合部に係止部を係合して前記伸縮延長管を前記掃除機本体に立て掛けることを特徴とする。
【００１１】
請求項３に係わる発明は、前記手元操作管用係合部は手元操作管の先端部に位置し、掛け開口の向きが前記ホース側に向く略Ｌ字形状をしていることを特徴とする。
【００１２】
請求項４に係わる発明は、前記手元操作管用係合部が前記手元操作管の長手方向にスライド自在に支持されていることを特徴とする。
【００１３】
請求項５に係わる発明は、前記手元操作管用係合部が前記手元操作管に回動自在に支持されていることを特徴とする。
【００１４】
請求項６に係わる発明は、前記手元操作管用係合部を手元操作管の把手部反対側に設けたことを特徴とする。
【００１５】
請求項７に係わる発明は、前記手元操作管用係合部は掛け開口が外側に向かって拡がる形状を有することを特徴とする。
【００１６】
請求項８に係わる発明は、前記手元操作管用係合部が付属吸口の保持用としても使用可能であることを特徴とする。
【発明の効果】
【００１７】
請求項１に係わる発明によれば、ホースは手元操作管の端部開口縁が上向きになるよう伸縮延長管に吊り下がることで、塵埃のこぼれ落ちの問題を解消できる。手元操作管の手元操作管用係合部を上向になって伸縮延長管の上端部開口縁に掛けることで簡単にコンパクト収納が図れるので使い勝って良い。
【００１８】
請求項４に係わる発明によれば、手元操作管の手元操作管用係合部がスライド自在であるので、手元操作管を無理な方向に取り外そうとしまった時でも引っ掛け部がスライドして無理な力かからないように動くため、固定された引っ掛け部よりも破損することを低減でき、使い勝手の良い掃除機を提供することができる。
【００１９】
請求項５に係わる発明によれば、手元操作管用係合部を手元操作に管回動可能に備えたことで伸縮延長管の先端に手元操作管を引っ掛けて、本体を持ち運びした時や、間違ってホースに触れて引っ掛け部に無理な力が加わった時でも、引っ掛け部が回転しホースの揺れに追従しないため、引っ掛け部の破損を低減でき、使い勝手の良い掃除機を提供することができる。
【００２０】
請求項６に係わる発明によれば、手元操作管用係合部を手元操作管の把手部反対側に備えたことで、無意識にホースに触れてしまい嵌合部に力が加わった時でも、バランス良くホースが揺れ、側面に形成した時よりも、嵌合部の破損がしにくく、使い勝手の良い掃除機を提供することができる。
【００２１】
請求項７に係わる発明によれば、手元操作管用係合部の掛け開口が外に向かって拡がる形状をしているので、伸縮延長管の端部開口部縁に引っ掛けて固定している時に、無意識にホースを動かしてしまった時、又は手元操作管を無理な方向に取り外そうとしまった時でも容易に手元操作管用係合部は抜け外れる。このため、手元操作管用係合部が破損しにくく、使い勝手の良い掃除機を提供することができる。
【００２２】
請求項８に係わる発明によれば、付属吸口を手元操作管の手元操作管用係合部に保持させることができるので、付属吸口が掃除中に触れて外れる落ち難くなった。
【００２３】
今まで付属吸口を伸縮延長管の側面に嵌合させて固定させていたため、掃除中に触れて付属吸口が外れてしまう恐れがあったが、手元操作管の手元操作管用係合部に付属吸口を保持させることで、掃除中に触れて付属吸口が外れる落ち難くなり、使い勝手の良い掃除機を提供することができる。
【発明を実施するための最良の形態】
【００２４】
以下本発明の実施例を添付の図面を参照し説明する。
【００２５】
図２は、本発明の一実施の形態を示す電気掃除機の外観斜視図である。
【００２６】
掃除機本体１００には、柔軟性を有するホース１０１の一端が接続され、ホース１０１の他端は手元操作管１０２の一端と接続されている。手元操作管１０２の他端には伸縮延長管１０３の一端が接続され、伸縮延長管１０３の他端には吸口１０４が接続されている。
【００２７】
手元操作管１０２には、掃除機の入り切りや強弱の切り替えを行うスイッチが設けられている。なお、掃除機本体１００と接続される側のホース１０１には接続部が設けられており、この接続部を掃除機本体１００に接続し掃除を行う構成となっている。
【００２８】
図１は掃除機本体１００を立ててコンパクト収納する際の電気掃除機の外観図である。伸縮延長管１０３に吸口１０４を接続したままの状態で、掃除機本体１００の底面に設けられている収納用凹部（係合部）（図示せず）と伸縮延長管に設けられている凸部（係止部）（図示せず）を嵌合できるように構成されている。
【００２９】
また、この伸縮延長管１０３と吸口１０４の間に付属ブラシ（図示せず）が取り付けられた場合でも、伸縮延長管１０３に設けられた凸部が嵌合できるよう、持ち運び用ハンドル１０５に凹部１０６が設けられており、収納できる構成となっている。
【００３０】
ホース先端の手元操作管１０２には、略Ｌ字状の引っ掛け部１０７（手元操作管用係合部）を有し、前記略Ｌ字状の引っ掛け部１０７は手元操作管１０２の延長管側先端部に配置し、かつ手元操作管１０２からホース１０１に向かって開口するように構成している。この略Ｌ字状の引っ掛け部１０７は、手元操作管１０２と伸縮延長管１０３の接続を外して伸縮延長管１０３の端部開口部（端部開口縁）１０８に引っ掛け（係合）て収納することができる。
【００３１】
前記引っ掛け部１０７を手元操作管１０２の先端に配置することで、収納高さを抑えることができ、コンパクト収納が図れる。
【００３２】
また、手元操作管１０２の開口部を上向きに引っ掛けることができるため、手元操作管、ホース内に残っている塵埃がこぼれ落ち、家屋を汚れないように配慮されている。前記引っ掛け部１０７は、伸縮延長管１０３の端部開口部１０８が筒形状となっているため、３６０度方向に引っ掛け可能になっており、使用者が決められた一箇所の嵌合部に固定する煩わしさがなく、簡単に収納できるよう配慮されている。
【００３３】
また、この構成によれば、掃除機使用者が掃除している部屋でコンパクト収納状態にし、収納する部屋まで掃除機本体１００を持ち運んだ時でも、引っ掛け部１０７は、伸縮延長管１０３の端部開口部１０８に沿って３６０度方向動くことができるので、ホース１０１がある程度揺れても引っ掛け部１０７が外れにくい構成となっている。
【００３４】
図３Ａ、図３Ｂ，図４Ａ、図４Ｂを用いて、本発明の一つ目の実施例である、スライド式引っ掛け部の構成について説明する。
【００３５】
引っ掛け部１０７は、手元操作管１０２の長手方向（前後方向）にスライド自在に支持されている。
【００３６】
図３Ａ、図３Ｂには、手元操作管１０２と伸縮延長管１０３を接続する場合を示し、図４Ａ、図４Ｂには、手元操作管１０２と伸縮延長管１０３の間に付属ブラシ２０４を接続する場合を示す。前記付属ブラシ２０４の外観は、手元操作管１０２に覆い被さるように接続されるため、接続代の分、ホース接続側にスライドしなければ当接してしまう。
【００３７】
本実施例においては、付属ブラシ２０４を接続させると、外観形状に引っ掛け部１０７の当接面５０１が押し込まれ、使用者がわざわざ引っ掛け部１０７を後ろにずらす作業が不要なスライド式の構成をとっている。
【００３８】
また、図３Ａ、図３Ｂの状態で掃除する際には、引っ掛け部１０７がスライド式のため、カタカタと前後に可動しないように、バネを内蔵し、常に手元操作管１０２の伸縮延長管側接続側に付勢した構造をとっても良い。
【００３９】
ここで図１に示すように、引っ掛け部１０７がホース接続側に移動している場合でも、伸縮延長管１０３の端部開口部１０８に引っ掛け固定すると、ホースの自重により引っ掛け部１０７は伸縮延長管側接続側にスライドし、自動的に収納高さを抑えたコンパクト収納状態にすることが可能である。
【００４０】
前記引っ掛け部１０７は、手元操作管１０２の伸縮延長管接続側のなるべく先端に配置している方が、よりコンパクトに収納できる。
【００４１】
図５Ａ、図５Ｂ、図５Ｃには、引っ掛け部の形状を示す。引っ掛け部１０７は、伸縮延長管１０３の端部開口部１０８に挿入しやすいように先端５０２は大きなＲ形状を有する。また、引っ掛け部１０７の先端５０２の内周面５０４は、伸縮延長管１０３の端部開口部１０８の筒形状に沿わした形状を形成しており、伸縮延長管１０３の端部開口部１０８を傷付けにくいよう配慮している。
【００４２】
ここで、手元操作管１０２を外す時の説明をする。図６には、手元操作管１０２をこじるように外された時の動きを示す。掃除をする際、使用者は、引っ掛け部１０７を伸縮延長管１０３の先端になる端部開口部１０８から外し伸縮延長管１０３と手元操作管１０２を接続して図２に示すような掃除状態にする。この引っ掛け部１０７を外す動作は、矢印６０１のように行えば、伸縮延長管１０３の先端部開口部１０８を傷付けたり、引っ掛け部の破損をすることが無い。
【００４３】
しかしながら、使用者は矢印６０２のように外す場合が考えられる。そのため、引っ掛け部の先端５０３（Ｌ）の長さは、こじられた時でも外れる長さにし、破損しにくいように配慮している。
【００４４】
また、スライド式の引っ掛け部１０７のため、矢印６０２のように外され、引っ掛け部１０７が先端部開口部１０８に突っかかった時でも、引っ掛け部１０７がスライドして、引っ掛け部１０７の先端５０２にかかる負荷を緩和する効果がある。
【００４５】
次に、図７Ａ、図７Ｂ〜９を用いて二つ目の実施例である、回動式引っ掛け部の構成について説明する。
【００４６】
図７Ａ、図７Ｂは、回動式引っ掛け部の設置状態と、回動した時の状態を表している。引っ掛け部１０７は、手元操作管１０２の下側（把手の反対側）で、かつ伸縮延長管接続側のなるべく先端に配置しており、座付きネジ７０１で抜けないように固定され、回動可能な状態で固定されている。手元操作管１０２には、引っ掛け部１０７の回動範囲を規制するためのリブが形成されており、引っ掛け部１０７は決められた角度内で自由に回動できるように固定されている。
【００４７】
本実施例において引っ掛け部１０７の回動方式の固定は、ネジ止めにて説明をしたが、爪勘合により固定を行っても良い。爪勘合にて固定を行えば、ネジの廃止、組立て作業の簡易化が図ることができる。
【００４８】
図８には、回動式の引っ掛け部を用いて伸縮延長管１０３の端部開口部１０８に引っ掛けた時を示しており、図９には、回動式の引っ掛け部を用いて伸縮延長管１０３の端部開口部１０８に引っ掛け、ホース１０１が揺れたときの動きを示している。
【００４９】
前述でも説明したが、引っ掛け部１０７は、伸縮延長管１０３の端部開口部１０８に沿って３６０度方向動くことができるので、ホース１０１がある程度揺れても引っ掛け部１０７が外れにくい構成となっている。
【００５０】
しかしながら、回動式の引っ掛け部１０７を用いれば、ホース１０１の矢印９０１のような動きに対し、手元操作管１０２と引っ掛け部１０７が回動可能な構成となっているため、引っ掛け部１０７の外れを更に防ぐことができ、使い勝手の良い掃除機を提供することができる。
【００５１】
また、手元操作管１０２が左右に揺れて引っ掛け部１０７の先端にこじられる様な動きが伝達されないため、引っ掛け部１０７の破損を抑制することができる。
【００５２】
図１０には、前記引っ掛け部１０７に、すき間用吸口１００１などの付属吸口を固定した時を表している。従来、すき間用吸口１００１などは、伸縮延長管１０３の側面に収納されることが多いが、掃除中にすき間用吸口１００１に触れ、外れてしまうことが多かった。
【００５３】
本実施例では、引っ掛け部１０７にすき間用吸口１００１を固定できるような形状としているため、掃除中には掃除者および壁面に触れにくく、すき間用吸口１００１の外れを抑制することができる。
【００５４】
また、掃除中には、手元付近にすき間用吸口１００１を配置しているため、すき間掃除の際も簡単に着脱が図れる構成となっている。収納の際には、すき間用吸口１００１を伸縮延長管１０３の側面に収納することで、引っ掛け部１０７を使用してコンパクト収納を図ることができる。
【図面の簡単な説明】
【００５５】
【図１】本発明の一実施の形態に係わるもので、電気掃除機の収納状態図である。
【図２】本発明の一実施の形態に係わるもので、電気掃除機の外観斜視図である。
【図３Ａ】本発明の一実施の形態に係わるもので、スライド式引っ掛け部の側面図である。
【図３Ｂ】本発明の一実施の形態に係わるもので、スライド式引っ掛け部の下面図である。
【図４Ａ】本発明の他の実施形態に係わるもので、スライド式引っ掛け部の付属のブラシを接続した時の側面図である。
【図４Ｂ】本発明の他の実施形態に係わるもので、スライド式引っ掛け部の付属のブラシを接続した時の下面図である。
【図５Ａ】本発明の一実施の形態に係わるもので、引っ掛け部の側面図である。
【図５Ｂ】本発明の一実施の形態に係わるもので、図５Ａを右側（掛け開口側）の方から引っ掛け部を見た図である。
【図５Ｃ】本発明の一実施の形態に係わるもので、引っ掛け部）の下面図である。
【図６】本発明の一実施の形態に係わるもので、スライド式引っ掛け部を取り外す時の側面図である。
【図７Ａ】本発明の一実施の形態に係わるもので、回転式引っ掛け部の側面図である。
【図７Ｂ】本発明の一実施の形態に係わるもので、回転式引っ掛け部の下面図である。
【図８】本発明の一実施の形態に係わるもので、回転式引っ掛け部の収納状態を下面から見た図である。
【図９】本発明の一実施の形態に係わるもので、回転式引っ掛け部の収納状態でホ−スが揺れた時を下面から見た図である。
【図１０】本発明の一実施の形態に係わるもので、引っ掛け部にすき間吸口を取り付けた時の側面図である。
【符号の説明】
【００５６】
１００…掃除機本体
１０１…ホース
１０２…手元操作管
１０３…伸縮延長管
１０４…吸口
１０５…持ち運び用ハンドル
１０６…凹部
１０７…引っ掛け部（手元操作管用係合部）
１０８…端部開口部（端部開口縁）
５０１…当接面
５０２…先端
５０４…内周面
５０３…引っ掛け部の長さ
６０１…矢印
６０２…矢印
７０１…座付きネジ
【図１】
0005048578.tif 000002
【図２】
0005048578.tif 000003
【図３Ａ】
0005048578.tif 000004
【図３Ｂ】
0005048578.tif 000005
【図４Ａ】
0005048578.tif 000006
【図４Ｂ】
0005048578.tif 000007
【図５Ａ】
0005048578.tif 000008
【図５Ｂ】
0005048578.tif 000009
【図５Ｃ】
0005048578.tif 000010
【図６】
0005048578.tif 000011
【図７Ａ】
0005048578.tif 000012
【図７Ｂ】
0005048578.tif 000013
【図８】
0005048578.tif 000014
【図９】
0005048578.tif 000015
【図１０】
0005048578.tif 000016